(57)【要約】【課題】記憶容量を気にすることなく、かつ、コンテンツ情報の転送の手間を省くことを可能とする。【解決手段】第２記憶手段ＤＢ２に電気的な接続が可能な状態等になると、予め定められた任意のタイミング等でコンテンツ再生情報取込手段１０ａ１によってコンテンツ再生情報が取り込まれると、該コンテンツ再生情報と管理情報記憶手段１０ｄに記憶している管理情報とに基づいて、第２記憶手段ＤＢ２に転送していないコンテンツ情報が、コンテンツ情報抽出手段１０ａ２によってＤＢ１から抽出される。そして、該抽出したコンテンツ情報はコンテンツ情報転送手段１０ａ３によって第２記憶手段ＤＢ２に転送される。【選択図】図１
2008310369.tif 000002
【特許請求の範囲】
【請求項１】
第１記憶手段が記憶している複数のコンテンツ情報の中から任意の前記コンテンツ情報を選択するとともに、前記第１記憶手段が記憶している全てのコンテンツ情報の合計データ量よりも前記コンテンツ情報の記憶可能容量が小さい第２記憶手段に、前記選択したコンテンツ情報を転送するコンテンツ情報転送装置であって、
前記第２記憶手段に転送した前記コンテンツ情報及び前記第２記憶手段を管理する管理情報を記憶する管理情報記憶手段と、
前記第２記憶手段が記憶しているコンテンツ情報の中の再生が終了したコンテンツ情報を示すコンテンツ再生情報を取り込むコンテンツ再生情報取込手段と、
前記コンテンツ再生情報取込手段が取り込んだコンテンツ再生情報と前記管理情報記憶手段が記憶している管理情報とに基づいて、前記第２記憶手段に転送していない前記コンテンツ情報を前記第１記憶手段から抽出するコンテンツ情報抽出手段と、
前記コンテンツ情報抽出手段が抽出したコンテンツ情報を前記第２記憶手段に転送するコンテンツ情報転送手段と、
を有することを特徴とするコンテンツ情報転送装置。
【請求項２】
前記コンテンツ再生情報取込手段が取り込んだコンテンツ再生情報が示すコンテンツ情報のデータ量と前記第２記憶手段の前記記憶可能容量とに基づいて、前記第２記憶手段に対する前記コンテンツ情報の転送可能容量を検出する転送可能容量検出手段を設けるとともに、
前記コンテンツ情報抽出手段が、前記コンテンツ再生情報と前記転送可能容量検出手段が検出した転送可能容量とに基づいて、前記第２記憶手段に転送していない前記コンテンツ情報を前記第１記憶手段から抽出するようにしたことを特徴とする請求項１に記載のコンテンツ情報転送装置。
【請求項３】
前記コンテンツ再生情報取込手段が取り込んだコンテンツ再生情報が示す前記再生の終了したコンテンツ情報の前記第２記憶手段からの削除を指示する削除指示情報を発生する削除指示情報発生手段と、
前記削除指示情報発生手段の削除指示情報の発生に応じて、前記管理情報記憶手段が記憶している管理情報を更新する管理情報更新手段と、
を有することを特徴とする請求項１又は２に記載のコンテンツ情報転送装置。
【請求項４】
第１記憶手段が記憶している複数のコンテンツ情報の合計データ量よりも前記コンテンツ情報の記憶可能容量が小さい第２記憶手段を有するとともに、前記第１記憶手段から転送されて前記第２記憶手段に記憶している前記コンテンツ情報を再生するコンテンツ情報再生装置において、
前記第２記憶手段が記憶している複数のコンテンツ情報中の再生が終了したコンテンツ情報を示すコンテンツ再生情報を生成するコンテンツ再生情報生成手段と、
前記コンテンツ再生情報生成手段が生成したコンテンツ再生情報を出力するコンテンツ再生情報出力手段と、
前記コンテンツ再生情報出力手段の出力に応じて発生した前記コンテンツ情報の削除を指示する削除指示情報を取り込む削除指示情報取込手段と、
前記削除指示情報取込手段が取り込んだ削除指示情報が示すコンテンツ情報を、前記第２情報記憶手段から削除するコンテンツ情報削除手段と、
を有するとともに、
前記第２記憶手段が、前記コンテン情報削除手段によって削除された領域に新たなコンテンツ情報が記憶されることを特徴とするコンテンツ情報再生装置。
【請求項５】
前記第２記憶手段が記憶しているコンテンツ情報は、利用者によって削除が拒否されたか否かを示す削除拒否情報が関連付けられており、
前記コンテンツ再生情報生成手段が、前記削除拒否情報に基づいて削除が拒否されていない前記コンテンツ情報のみに対して再生の終了を判定して前記コンテンツ再生情報を生成するようにしたことを特徴とする請求項４に記載のコンテンツ情報再生装置。
【請求項６】
複数のコンテンツ情報を記憶している第１記憶手段と、請求項３に記載のコンテンツ情報転送装置と、請求項４又は５に記載のコンテンツ情報再生装置と、を有することを特徴とするコンテンツ情報再生システム。
【請求項７】
第１記憶手段が記憶している複数のコンテンツ情報の中から任意の前記コンテンツを選択するとともに、前記第１記憶手段が記憶している全てのコンテンツ情報の合計データ量よりも前記コンテンツ情報の記憶可能容量が小さい第２記憶手段に、前記選択したコンテンツ情報を転送するコンテンツ情報転送方法であって、
前記第２記憶手段が記憶しているコンテンツ情報の中の再生が終了したコンテンツ情報を示すコンテンツ再生情報を取り込むと、該取り込んだコンテンツ再生情報に基づいて前記第２記憶手段に転送していない前記コンテンツ情報を前記第１記憶手段から抽出し、該コンテンツ情報を前記第２記憶手段に転送することを特徴とするコンテンツ情報転送方法。
【発明の詳細な説明】
【技術分野】
【０００１】
本発明は、複数のコンテンツ情報の中から任意のコンテンツ情報を限られた記憶容量の記憶媒体に転送するコンテンツ情報転送装置、コンテンツ情報再生装置、コンテンツ情報再生システム、及び、コンテンツ情報転送方法等の技術分野に関する。
【背景技術】
【０００２】
近年、ＨＤ（Hard Disc）等の記録媒体の大容量化や、ＭＰ（MPEG Audio Layer）３、ＡＴＲＡＣ（Adaptive TRansform Acoustic Coding）３等のデータ圧縮技術の進展により、利用者が、例えばオーディオ機器やパーソナルコンピュータ（パソコン）等を使用して、例えば、多くのＣＤ(Compact Disc)や、ＭＤ(Mini Disc)、ＤＶＤ(Digital Versatile Disc）等に記録された楽曲情報を、一つのＨＤ等に記録して再生することが可能になっている。更に、最近では、インターネット上における配信サーバから楽曲のデータをダウンロードして上記ＨＤ等に記録して再生することが可能になった。
【０００３】
また、楽曲データの記憶再生を行う携帯型記憶再生装置においては、ハードディスクドライブを内蔵したものや、ハードディスクドライブよりも記憶容量の小さなハードディスクドライブ、メモリ等を内蔵したものが知られている。そして、記憶容量が小さい記憶媒体に楽曲情報を転送する場合は、携帯型記憶再生装置をパソコンに接続し、そのパソコンの聴きたい楽曲を選択してパソコンから携帯型記憶再生装置に転送するようにしていた。
【発明の開示】
【発明が解決しようとする課題】
【０００４】
しかしながら、携帯型記憶再生装置が内蔵する記憶媒体の記憶容量が、パソコン側の記憶媒体の記憶容量よりも小さい場合、パソコン側の全ての楽曲情報を携帯型記憶装置に転送することができないため、楽曲情報の入れ替えない限りは何れ同じ楽曲情報の繰り返し姿勢となり、利用者は飽きてしまう。そこで、利用者は楽曲情報の入れ替えを任意に行うことになるが、携帯型記憶再生装置に転送する楽曲情報や携帯型記憶再生装置側で消去する楽曲情報の選択は、利用者が逐一行う必要があり面倒であるという問題があった。また、このような問題は、楽曲情報だけではなく、画像情報、映像情報などのコンテンツ情報全般で生じる問題である。本発明が解決しようとする課題は、上記した問題が一例として挙げられる。
【０００５】
よって本発明は、上述した問題点等に鑑み、記憶容量を気にすることなく、かつ、コンテンツ情報の転送の手間を省くことができる楽曲情報転送装置等を提供することを課題としている。
【課題を解決するための手段】
【０００６】
上記課題を解決するため本発明によりなされた請求項１記載のコンテンツ情報転送装置は、第１記憶手段が記憶している複数のコンテンツ情報の中から任意の前記コンテンツ情報を選択するとともに、前記第１記憶手段が記憶している全てのコンテンツ情報の合計データ量よりも前記コンテンツ情報の記憶可能容量が小さい第２記憶手段に、前記選択したコンテンツ情報を転送するコンテンツ情報転送装置であって、前記第２記憶手段に転送した前記コンテンツ情報及び前記第２記憶手段を管理する管理情報を記憶する管理情報記憶手段と、前記第２記憶手段が記憶しているコンテンツ情報の中の再生が終了したコンテンツ情報を示すコンテンツ再生情報を取り込むコンテンツ再生情報取込手段と、前記コンテンツ再生情報取込手段が取り込んだコンテンツ再生情報と前記管理情報記憶手段が記憶している管理情報とに基づいて、前記第２記憶手段に転送していない前記コンテンツ情報を前記第１記憶手段から抽出するコンテンツ情報抽出手段と、前記コンテンツ情報抽出手段が抽出したコンテンツ情報を前記第２記憶手段に転送するコンテンツ情報転送手段と、を有することを特徴とする。
【０００７】
上記課題を解決するため本発明によりなされた請求項４記載のコンテンツ情報再生装置は、第１記憶手段が記憶している複数のコンテンツ情報の合計データ量よりも前記コンテンツ情報の記憶可能容量が小さい第２記憶手段を有するとともに、前記第１記憶手段から転送されて前記第２記憶手段に記憶している前記コンテンツ情報を再生するコンテンツ情報再生装置において、前記第２記憶手段が記憶している複数のコンテンツ情報中の再生が終了したコンテンツ情報を示すコンテンツ再生情報を生成するコンテンツ再生情報生成手段と、前記コンテンツ再生情報生成手段が生成したコンテンツ再生情報を出力するコンテンツ再生情報出力手段と、前記コンテンツ再生情報出力手段の出力に応じて発生した前記コンテンツ情報の削除を指示する削除指示情報を取り込む削除指示情報取込手段と、前記削除指示情報取込手段が取り込んだ削除指示情報が示すコンテンツ情報を、前記第２情報記憶手段から削除するコンテンツ情報削除手段と、を有するとともに、前記第２記憶手段が、前記コンテン情報削除手段によって削除された領域に新たなコンテンツ情報が記憶されることを特徴とする。
【０００８】
上記課題を解決するため本発明によりなされた請求項６記載のコンテンツ情報再生システムは、複数のコンテンツ情報を記憶している第１記憶手段と、請求項３に記載のコンテンツ情報転送装置と、請求項４又は５に記載のコンテンツ情報再生装置と、を有することを特徴とする。
【０００９】
上記課題を解決するため本発明によりなされた請求項７記載のコンテンツ情報転送方法は、第１記憶手段が記憶している複数のコンテンツ情報の中から任意の前記コンテンツを選択するとともに、前記第１記憶手段が記憶している全てのコンテンツ情報の合計データ量よりも前記コンテンツ情報の記憶可能容量が小さい第２記憶手段に、前記選択したコンテンツ情報を転送するコンテンツ情報転送方法であって、前記第２記憶手段が記憶しているコンテンツ情報の中の再生が終了したコンテンツ情報を示すコンテンツ再生情報を取り込むと、該取り込んだコンテンツ再生情報に基づいて前記第２記憶手段に転送していない前記コンテンツ情報を前記第１記憶手段から抽出し、該コンテンツ情報を前記第２記憶手段に転送することを特徴とする。
【発明を実施するための最良の形態】
【００１０】
以下、本発明に係るコンテンツ情報転送装置、コンテンツ情報再生装置、コンテンツ情報再生システム、及び、コンテンツ情報転送方法の一最良の形態を、図１の図面を参照して説明する。なお、図１は本発明に係るコンテンツ情報転送装置、コンテンツ情報再生装置、及び、コンテンツ情報再生システムの基本構成の一例を示す構成図である。
【００１１】
図１において、コンテンツ情報転送装置１０は、第１記憶手段ＤＢ１が記憶している複数のコンテンツ情報の中から任意の前記コンテンツを選択するとともに、前記第１記憶手段ＤＢ１が記憶している全てのコンテンツ情報の合計データ量よりも前記コンテンツ情報の記憶可能容量が小さい第２記憶手段ＤＢ２に、前記選択したコンテンツ情報を転送するコンテンツ情報転送装置１０であって、前記第２記憶手段ＤＢ２に転送した前記コンテンツ情報及び当該第２記憶手段ＤＢ２を管理する管理情報を記憶する管理情報記憶手段１０ｄと、前記第２記憶手段ＤＢ２が記憶しているコンテンツ情報の中の再生が終了したコンテンツ情報を示すコンテンツ再生情報を取り込むコンテンツ再生情報取込手段１０ａ１と、前記コンテンツ再生情報取込手段１０ａ１が取り込んだコンテンツ再生情報と前記管理情報記憶手段１０ｄが記憶している管理情報とに基づいて、前記第２記憶手段ＤＢ２に転送していない前記コンテンツ情報を前記第１記憶手段ＤＢ１から抽出するコンテンツ情報抽出手段１０ａ２と、前記コンテンツ情報抽出手段１０ａ２が抽出したコンテンツ情報を前記第２記憶手段ＤＢ２に転送するコンテンツ情報転送手段１０ａ３と、を有している。
【００１２】
このコンテンツ情報転送装置１０によれば、第２記憶手段ＤＢ２に電気的な接続が可能な状態等になると、予め定められた任意のタイミング等でコンテンツ再生情報取込手段１０ａ１によってコンテンツ再生情報が取り込まれると、該コンテンツ再生情報と管理情報記憶手段１０ｄに記憶している管理情報とに基づいて、第２記憶手段ＤＢ２に転送していないコンテンツ情報が、コンテンツ情報抽出手段１０ａ２によってＤＢ１から抽出される。そして、該抽出したコンテンツ情報はコンテンツ情報転送手段１０ａ３によって第２記憶手段ＤＢ２に転送される。
【００１３】
このように、第２記憶手段ＤＢ２に転送したコンテンツ情報とその第２記憶手段ＤＢ２を管理する管理情報を記憶しておくとともに、その第２記憶手段ＤＢ２が記憶しているコンテンツ情報の中の再生が終了したコンテンツ情報を示すコンテンツ再生情報を取り込み、該コンテンツ再生情報と管理情報とに基づいて第２記憶手段ＤＢ２に転送していないコンテンツ情報を第１記憶手段ＤＢ１から抽出して、第２記憶手段ＤＢ２に転送するようにしたことから、第２記憶手段ＤＢ２に再生していないコンテンツ情報を転送することができるため、第２記憶手段ＤＢ２が限られた容量であっても、記憶容量を有効活用して飽きのこないコンテンツ情報の再生を支援することができる。よって、再生していないコンテンツ情報に自動的に入れ替えられることにより、利用者は限られた記憶容量の第２記憶手段ＤＢ２を用いても、手間をかけることなく常に新鮮なコンテンツ情報を楽しむことができる。
【００１４】
また、コンテンツ情報転送装置１０は、前記コンテンツ再生情報取込手段１０ａ１が取り込んだコンテンツ再生情報が示すコンテンツ情報のデータ量と前記第２記憶手段ＤＢ２の前記記憶可能容量とに基づいて、前記第２記憶手段ＤＢ２に対する前記コンテンツ情報の転送可能容量を検出する転送可能容量検出手段１０ａ４を設けるとともに、前記コンテンツ情報抽出手段１０ａ２が、前記コンテンツ再生情報と前記転送可能容量検出手段１０ａ４が検出した転送可能容量とに基づいて、前記第２記憶手段ＤＢ２に転送していない前記コンテンツ情報を前記第１記憶手段ＤＢ１から抽出するようにしている。
【００１５】
このコンテンツ情報転送装置１０によれば、転送可能容量検出手段１０ａ４によって第２記憶手段ＤＢ２に対するコンテンツ情報の転送可能容量が検出されると、該転送可能容量とコンテンツ再生情報とに基づいて、第２記憶手段ＤＢ２に転送していないコンテンツ情報がコンテンツ情報抽出手段１０ａ２によってＤＢ１から抽出される。そして、該抽出したコンテンツ情報はコンテンツ情報転送手段１０ａ３によって第２記憶手段ＤＢ２に転送される。
【００１６】
このように、コンテンツ再生情報が示すコンテンツ情報のデータ量と第２記憶手段ＤＢ２の記憶可能容量とに基づいて転送可能容量を検出し、該転送可能容量に適した第２記憶手段ＤＢ２に転送していないコンテンツ情報をＤＢ１から抽出するようにしたことから、第２記憶手段ＤＢ２を有効利用してコンテンツ情報の入れ替えを的確に行うことができるため、利用者がコンテンツ情報を飽きてしまうことを防止することができる。
【００１７】
また、コンテンツ情報転送装置１０は、前記コンテンツ再生情報取込手段１０ａ１が取り込んだコンテンツ再生情報が示す前記再生の終了したコンテンツ情報の前記第２記憶手段ＤＢ２からの削除を指示する削除指示情報を発生する削除指示情報発生手段１０ａ５と、前記削除指示情報発生手段１０ａ５の削除指示情報の発生に応じて、前記管理情報記憶手段１０ｄが記憶している管理情報を更新する管理情報更新手段１０ａ６と、を有している。
【００１８】
このコンテンツ情報転送装置１０によれば、コンテンツ再生情報取込手段１０ａ１によって取り込まれたコンテンツ再生情報が示す再生の終了したコンテンツ情報の第２記憶手段ＤＢ２からの削除を指示する削除指示情報が削除指示情報発生手段１０ａ５によって発生する。そして、この削除指示情報の発生に応じて管理情報記憶手段１０ｄが記憶している管理情報が示すコンテンツ情報等が管理情報更新手段１０ａ６によって更新される。
【００１９】
このように、コンテンツ情報の抽出、取り込み等に応じて再生が終了したコンテンツ情報の削除を指示する削除指示情報を発生させるとともに、管理情報を更新するようにしたことから、この削除指示情報の発生に応じてコンテンツ情報を第２記憶手段ＤＢ２から削除することで、コンテンツ情報の入れ替えを的確に把握して管理することが可能となり、コンテンツ情報の入れ替えを確実に行うことができるため、利用者がコンテンツ情報を飽きてしまうことを防止することができる。
【００２０】
また、コンテンツ情報再生装置２０は、第１記憶手段ＤＢ１が記憶している複数のコンテンツ情報の合計データ量よりも前記コンテンツ情報の記憶可能容量が小さい第２記憶手段ＤＢ２を有するとともに、前記第１記憶手段ＤＢ１から転送されて前記第２記憶手段ＤＢ２に記憶している前記コンテンツ情報を再生するコンテンツ情報再生装置２０において、前記第２記憶手段ＤＢ２が記憶している複数のコンテンツ情報中の再生が終了したコンテンツ情報を示すコンテンツ再生情報を生成するコンテンツ再生情報生成手段２７ａと、前記コンテンツ再生情報生成手段２７ａが生成したコンテンツ再生情報を出力するコンテンツ再生情報出力手段２７ｂと、前記コンテンツ再生情報出力手段２７ｂの出力に応じて発生した前記コンテンツ情報の削除を指示する削除指示情報を取り込む削除指示情報取込手段２７ｃと、前記削除指示情報取込手段２７ｃが取り込んだ削除指示情報が示すコンテンツ情報を、前記第２情報記憶手段ＤＢ２から削除するコンテンツ情報削除手段２７ｄと、を有するとともに、前記第２記憶手段ＤＢ２が、前記コンテン情報削除手段２７ｄによって削除された領域に新たなコンテンツ情報が記憶される。
【００２１】
このコンテンツ情報再生装置２０によれば、第２記憶手段ＤＢ２に記憶されているコンテンツ情報の再生に応じて、コンテンツ再生情報生成手段２７ａによってコンテンツ再生情報が生成されると、該コンテンツ再生情報はコンテンツ再生情報出力手段２７ｂによって出力される。そして、コンテンツ再生情報の出力に応じて発生した削除指示情報が削除指示情報取込手段２７ｃによって取り込まれると、該削除指示情報が示すコンテンツ情報が第２記憶手段ＤＢ２からコンテンツ情報削除手段２７ｄによって削除され、その領域には、新たなコンテンツ情報が記憶される。
【００２２】
このように、コンテンツ情報の再生に応じてコンテンツ再生情報を生成して出力するとともに、該コンテンツ再生情報の出力に応じて発生した削除指示情報を取り込み、該削除指示情報が示すコンテンツ情報を第２記憶手段ＤＢ２から削除するようにしたことから、第２記憶手段ＤＢ２に新たなコンテンツ情報を記憶する領域を確保することができるため、第２記憶手段ＤＢ２が限られた容量であっても、記憶容量を有効活用して飽きのこないコンテンツ情報の再生を支援することができる。よって、再生していないコンテンツ情報に自動的に入れ替えられることにより、利用者は限られた記憶容量の第２記憶手段ＤＢ２を用いても、手間をかけることなく常に新鮮なコンテンツ情報を楽しむことができる。
【００２３】
また、コンテンツ情報再生装置２０は、前記第２記憶手段が記憶しているコンテンツ情報は、利用者によって削除が拒否されたか否かを示す削除拒否情報が関連付けられており、前記コンテンツ再生情報生成手段２７ａが、前記削除拒否情報に基づいて削除が拒否されていない前記コンテンツ情報のみに対して再生の終了を判定して前記コンテンツ再生情報を生成している。
【００２４】
このコンテンツ情報再生装置２０によれば、コンテンツ情報に関連付けられた削除拒否情報に基づいて、削除が拒否されていないコンテンツ情報に対応したコンテンツ再生情報がコンテンツ再生情報生成手段２７ａによって生成される。そして、削除拒否情報が削除拒否を示していると、コンテンツ情報の再生が終了しても、コンテンツ再生情報には反映されない。
【００２５】
このように、コンテンツ情報に削除拒否情報を関連づけ、かつ、該削除拒否情報に基づいて削除が拒否されていないコンテンツ情報に対応したコンテンツ再生情報を生成するようにしたことから、利用者によって削除拒否を選択させることで、利用者のお気に入りのコンテンツ情報が消去されることを防止することができる。よって、利用者の好みを反映した上で、再生していないコンテンツ情報に自動的に入れ替えることができるため、手間をかけることなくコンテンツ情報を楽しむことができる。
【００２６】
また、コンテンツ情報再生システムは、複数のコンテンツ情報を記憶している第１記憶手段ＤＢ１と、コンテンツ情報転送装置１０と、コンテンツ情報再生装置２０と、を有している。
【００２７】
このコンテンツ情報再生システムによれば、コンテンツ情報再生装置２０から出力されたコンテンツ再生情報は、コンテンツ情報転送装置１０に取り込まれる。そして、コンテンツ情報転送装置１０は該コンテンツ再生情報と管理情報記憶手段１０ｄに記憶している管理情報とに基づいて、第２記憶手段ＤＢ２に転送していないコンテンツ情報を第１記憶手段ＤＢ１から抽出すると、コンテンツ再生情報が示すコンテンツ情報の削除を指示する削除指示情報を発生するとともに、抽出したコンテンツ情報を第２記憶手段ＤＢ２に転送する。そして、コンテンツ情報再生装置２０は取り込んだ削除指示情報に基づいて第２記憶手段ＤＢ２からコンテンツ情報を削除すると、その領域にコンテンツ情報転送装置１０から転送されたコンテンツ情報が記憶される。
【００２８】
このように、コンテンツ情報の再生に応じてコンテンツ情報再生装置２０がコンテンツ再生情報を生成して出力するとともに、コンテンツ情報転送装置１０によって該コンテンツ再生情報の出力に応じて発生した削除指示情報が示すコンテンツ情報を第２記憶手段ＤＢ２から削除し、そこに新たなコンテンツ情報を記憶するようにしたことから、第２記憶手段ＤＢ２に新たなコンテンツ情報を記憶する領域を確保することができるため、第２記憶手段ＤＢ２が限られた容量であっても、記憶容量を有効活用して飽きのこないコンテンツ情報の再生を支援することができる。よって、再生していないコンテンツ情報に自動的に入れ替えられることにより、利用者は限られた記憶容量の第２記憶手段ＤＢ２を用いても、手間をかけることなく常に新鮮なコンテンツ情報を楽しむことができる。
【実施例】
【００２９】
次に、上述したコンテンツ情報転送装置、コンテンツ情報再生装置、及び、コンテンツ情報再生システムにおけるコンテンツ情報を楽曲情報とする場合の実施例を以下に説明する。なお、図２はコンテンツ情報再生システムのシステム構成の一例を示すシステム構成図であり、図３は図２のコンテンツ情報管理装置の概略構成を示す構成図であり、図４は図２の車載側再生装置の概略構成を示す構成図である。
【００３０】
図２において、コンテンツ情報再生システム１は、利用者の自宅等に設けられてコンテンツ情報転送装置として機能するコンテンツ情報管理装置１０と、利用者が所有する車両等に搭載されるカーナビゲーション、カーオーディオ等の車載側再生装置２０と、を有している。そして、本実施例では、コンテンツ情報管理装置１０と車載側再生装置２０とは、各種情報の転送が可能なようにケーブルＣによって電気的に接続される構成となっている。
【００３１】
コンテンツ情報管理装置１０は、図３に示すように、周知であるパーソナル・コンピュータ（以下、パソコンという）が用いられ、予め定めたプログラムに従って装置全体の動作の制御などを行う中央演算処理装置（ＣＰＵ）１０ａを有している。このＣＰＵ１０ａには、バスＢを介してＣＰＵ１０ａのためのプログラム等を格納した読み出し専用のメモリであるＲＯＭ１０ｂ、ＣＰＵ１０ａの処理作業に必要な各種データを格納する作業エリア等を有する読み出し書き込み自在のメモリであるＲＡＭ１０ｃが接続されている。
【００３２】
ＣＰＵ１０ａにはさらに、記憶装置１０ｄがバスＢを介して接続されており、この記憶装置１０ｄにはハードディスク装置などを用いている。記憶装置１０ｄは、複数のコンテンツ情報を管理するコンテンツ管理プログラム、転送を管理するコンテンツ情報転送プログラム等の各種プログラムや、第１楽曲情報データベースＤＢ１、該第１楽曲情報データベースＤＢ１を管理するための管理情報等を記憶している。
【００３３】
また、本実施例では、記憶装置１０ｄに、楽曲情報データベースＤＢ１を記憶する場合について説明するが、コンテンツ情報管理装置１０がネットワークに接続可能な構成になっていれば、コンテンツ情報管理装置１０がアクセス可能な他のパソコンのハードディスク装置等に記憶する構成とすることもできる。
【００３４】
コンテンツ情報転送プログラムは、コンテンツ再生情報取込手段、コンテンツ情報抽出手段、コンテンツ情報転送手段、転送可能容量検出手段、削除指示情報発生手段、管理情報更新手段等の手段としてＣＰＵ１０ａを機能させるための各種プログラムを有している。そして、ＣＰＵ１０ａがコンテンツ情報転送プログラムを実行することで、コンテンツ情報管理装置１０が上述したコンテンツ情報転送装置として機能する構成となっている。
【００３５】
第１楽曲情報データベースＤＢ１は、上述した第１記憶手段に相当し、複数の楽曲情報を有している。楽曲情報は、周知であるＭＰ３（MPEG audio layer-3）のフォーマット形式となっており、ヘッダ、ＣＲＣ（cyclic redundancy check code）、サイド情報、メインデータ、付加データ等を有している。なお、楽曲情報をＡＴＲＡＣ（adaptive transform acoustic coding）等の他の圧縮方式のデジタルオーディオデータとすることもできる。また、第１楽曲情報データベースＤＢ１は、ＤＶＤ（digital versatile disk; digital video disc）、ＣＤ−ＲＯＭ（compact disc read-only memory）等のディスク単位で管理するなど種々異なる形態とすることができる。
【００３６】
管理情報は、第２楽曲情報データベースＤＢ２に転送した楽曲情報を識別する楽曲識別データと、該楽曲情報のチェックイン、チェックアウト等の転送履歴を示す履歴データと、車載側再生装置２０や第２楽曲情報データベースＤＢ２等の転送先を示す転送先データと、第２楽曲情報データベースＤＢ２におけるコンテンツ情報の記憶可能容量データと、有している。
【００３７】
なお、チェックイン、チェックアウトは、周知である著作権保護技術に用いられる仕組みであり、チェックアウトが楽曲情報を車載側再生装置２０へ転送することを示し、チェックインが転送した楽曲情報を第１楽曲情報データベースＤＢ１へ戻すことを示している。そして、本実施例では、各楽曲情報に対する履歴データとして、チェックイン、チェックアウトの日時、回数等を設定するようにしている。
【００３８】
また、本実施例おいて、管理情報はコンテンツ情報とともに車載側再生装置２０に転送されるものであり、車載側再生装置２０側で各楽曲情報が再生された回数、日時等を示すコンテンツ再生情報、利用者によって削除が拒否されたか否かを示す削除拒否情報が関連付けられる。
【００３９】
ＣＰＵ１０ａにはさらに、入力装置１１、表示装置１２、通信装置１３等がバスＢを介して接続されている。入力装置１１は、キーボード、マウス等を有して構成しており、入力装置１１から入力された各種入力データは、バスＢを介してＣＰＵ１０ａに入力される。
【００４０】
表示装置１２は、液晶ディスプレイ、ＣＲＴ（cathode-ray tube）などが用いられ、ＣＰＵ１０ａからの指示に基づいて各種表示を行う。接続装置１３は、周知であるＵＳＢ（Universal Serial Bus）等の接続ポートが用いられ、接続ケーブルＣを介して車載側再生装置２０に接続されることで、車載側再生装置２０との間で各種情報の転送が可能な構成となっている。そして、接続ケーブルＣを介して車載側再生装置２０から取り込んだ情報はＣＰＵ１０ａに出力するとともに、ＣＰＵ１０ａから入力されるコンテンツ情報、管理情報等の各種情報は車載側再生装置２０に接続ケーブルＣを介して転送される。なお、本実施例では、接続ケーブルＣを介した有線によりデータ通信のための接続を確立する場合について説明するが、接続ケーブルＣを用いずに、相手側の端子が直接接続される構成することもできる。また、無線により接続を確立する場合は、無線ＬＡＮ（local area network）等が用いられる。
【００４１】
次に、コンテンツ情報再生装置２０は、図に示すように、情報再生部２１、情報出力部２２、メモリ部２３、第２記憶手段に相当する記憶部２４、操作・表示部２５、接続部２６、及び、制御部２７等を備えて構成されている。
【００４２】
情報再生部２１は、記憶部２４に記憶している上述した楽曲情報を再生する圧縮伸張コントローラ等を有している。この場合、情報再生部２１は、制御部２７から入力される楽曲情報を復号化して再生し、当該楽曲情報を情報出力部２２に出力するようになっている。なお、情報再生部２１は、再生対象となるコンテンツ情報が映像情報である場合は映像再生コントローラというように、その再生対象に応じた構成であり、複数種類のコンテンツ情報を再生するように構成してもよい。
【００４３】
情報出力部２２は、図示しないが、情報再生部２１により再生された楽曲（デジタル音声信号）、又は制御部２７から出力された音声ガイド情報等を入力し、これをアナログ音声信号に変換するＤＡＣ（Digital-to-Analog Converter）、当該アナログ音声信号を増幅して出力するＡＭＰ（Amplifier）、及び増幅されたアナログ音声信号を音波として出力するスピーカ等を備えており、楽曲情報をスピーカから出力するようになっている。
【００４４】
メモリ部２３は、例えば不揮発性メモリ等が用いられ、制御部２７の処理作業に必要な各種データを格納する作業エリア、車載側再生装置２０、記憶部２４等を識別する識別情報（例えば、固有の識別番号）などを格納する格納エリア等を有している。
【００４５】
記憶部２４は、制御部２７の制御下、例えば、接続部２６を介してコンテンツ情報管理装置１０から転送された楽曲情報、該楽曲情報を管理する管理情報等を記憶している。そして、記憶部２４における楽曲情報の記憶可能容量は、コンテンツ情報管理装置１０の記憶装置１０ｄに記憶している第１楽曲情報データベースが有する全てのコンテンツ情報の合計データ量よりも小さな記憶容量となっている。つまり、記憶部２４には、小容量のハードディスクドライブや不揮発性メモリ等を用いることができる。
【００４６】
操作・表示部２５は、例えばタッチパネル式の表示パネル（例えば液晶パネル）を備えており、制御部２７の制御下、管理情報に基づいた楽曲情報のタイトル一覧や、利用者が各種指示を入力するための操作ボタン等を表示するようになっている。このような操作ボタンが押されると、当該操作ボタンに対応する指示信号が制御部２７に出力される。なお、当該操作ボタンが設けられたリモコンを併用しても良い。
【００４７】
接続部２６は、上述したＵＳＢ等の接続ポートが用いられ、接続ケーブルＣを介してコンテンツ管理装置１０側の接続装置１３に接続されることで、コンテンツ情報管理装置１０との間で各種情報の転送が可能な構成となっている。そして、接続ケーブルＣを介して、コンテンツ情報管理装置１０から転送された管理情報、コンテンツ情報等の各種情報が制御部２７に出力するとともに、制御部２７から入力されるコンテンツ情報、管理情報等の各種情報をコンテンツ情報管理装置１０に転送する。
【００４８】
制御部２７は、演算機能を有するＣＰＵ、作業用ＲＡＭ、及び、楽曲再生プログラム、楽曲管理プログラム等の各種処理プログラムやデータを記憶するＲＯＭ等を有している。例えば、楽曲管理プログラムは、上述したコンテンツ再生情報生成手段、コンテンツ再生情報出力手段、削除指示情報取込手段、コンテンツ情報削除手段等の各種手段として制御部２７を機能させるためのプログラムを有している。そして、制御部２７が楽曲管理プログラムを実行することで、車載側再生装置２０が上述したコンテンツ情報再生装置として機能することになる。
【００４９】
次に、上述したコンテンツ情報管理装置１０のＣＰＵ１０ａが実行する初期登録処理及び楽曲情報更新処理の一例を説明する。そして、図５は図３のＣＰＵ１０ａが実行する初期登録処理の一例を示すフローチャートである。図６は図３のＣＰＵ１０ａが実行する楽曲情報更新処理の一例を示すフローチャートである。
【００５０】
ＣＰＵ１０ａによって図５に示す初期登録処理が実行されると、ステップＳ１１において、上述した転送先データが取り込まれるとともに、車載側再生装置２０の記憶部２４における楽曲情報の記憶可能容量が検出されてＲＡＭ１０ｃに記憶され、その後ステップＳ１２に進む。なお、転送先データの取り込み、及び、記憶可能容量の検出については、接続装置１３を介して車載側再生装置２０から自動的に予め定められた記憶エリア等から取り込んでも良いし、利用者等に入力させるようにしても良い。
【００５１】
ステップＳ１２において、ＲＡＭ１０ｃの転送可能容量に基づいて、車載側再生装置２０に転送する複数の楽曲情報が、第１楽曲情報データベースＤＢ１から、例えば、利用者による選択、自動選択等により、前記転送可能容量内に収まるデータ量の範囲で抽出されてＲＡＭ１０ｃに記憶され、その後ステップ１３に進む。
【００５２】
ステップＳ１３において、ＲＡＭ１０ｃの複数の楽曲情報と転送先データに基づいて上述した管理情報が生成されてＲＡＭ１０ｃに記憶され、その後、ステップＳ１４において、ＲＡＭ１０ｃの管理情報と複数の楽曲情報が接続装置１３に出力されることで、接続ケーブルＣを介して車載側再生装置２０に転送されて複数の楽曲情報がチェックアウトされ、その後処理が終了される。
【００５３】
以上の処理によって、車載側再生装置２０の第２楽曲情報データベースＤＢ２に対する複数の楽曲情報の初期登録が終了することになる。この後は、利用者の再生要求に応じて車載側再生装置２０はそれらの楽曲情報を再生することになる。そして、楽曲情報の全て若しくは一部の再生が終了すると、再び車載側再生装置２０がコンテンツ情報管理装置１０に接続されることになる。
【００５４】
ＣＰＵ１０ａによって図５に示す初期登録処理が実行されると、ステップＳ３１において、接続装置１３の接続状態に基づいて、車載側再生装置２０に対する転送可能状態であるか否かが判定される。転送可能ではないと判定された場合は（Ｓ３１でＮ）、ステップＳ３９に進む。一方、転送可能状態であると判定された場合は（Ｓ３１でＹ）、ステップＳ３２に進む。
【００５５】
ステップＳ３２（コンテンツ再生情報取込手段）において、接続装置１３を介して車載側再生装置２０から管理情報が取り込まれることで、上述したように該管理情報に関連付けられた再生情報（コンテンツ再生情報に相当）が取り込まれ、それらの情報はＲＡＭ１０ｃに記憶され、その後ステップＳ３３に進む。
【００５６】
ステップＳ３３（削除指示情報発生手段）において、管理情報に関連付けられた再生情報が示す再生の終了した楽曲情報を第２楽曲情報データベースＤＢ２から削除して、コンテンツ情報管理装置１０に転送することを指示する削除指示情報が生成されて接続装置１３に出力されることで、接続ケーブルＣを介して削除指示情報が車載側再生装置２０に転送され、その後ステップＳ３４に進む。この処理に応じて、削除指示情報の発生に応じて車載側再生装置２０は再生済みの楽曲情報を第２楽曲情報データベースＤＢ２から削除するとともに、その楽曲情報をコンテンツ情報管理装置１０に対して出力することになる。
【００５７】
ステップＳ３４において、接続装置１３を介して車載側再生装置２０から入力された楽曲情報が取り込まれて第１楽曲情報データベースＤＢ１に記憶されることで、チェックアウト中の楽曲情報がチェックインされ、その後ステップＳ３５に進む。
【００５８】
ステップＳ３５（転送可能容量検出手段）において、ＲＡＭ１０ｃに取り込まれた楽曲情報のデータサイズ、管理情報の記憶可能容量データ等に基づいて、第２楽曲情報データベースＤＢ２に対する転送可能容量が検出されてＲＡＭ１０ｃに記憶され、その後ステップＳ３６に進む。
【００５９】
ステップＳ３６（コンテンツ情報抽出手段）において、ＲＡＭ１０ｃに記憶している転送可能容量、上述した管理情報の履歴データ等に基づいて、転送可能容量内に収まり、かつ、第２楽曲情報データベースＤＢ２に転送していない楽曲情報が第１楽曲情報データベースＤＢ１から抽出されてＲＡＭ１０ｃに記憶され、その後ステップＳ３７に進む。
【００６０】
ステップＳ３７において、削除指示情報が示す楽曲情報に対応した楽曲識別データが管理情報から削除されるとともに、ＲＡＭ１０ｃに抽出している楽曲情報に対応した新たな楽曲識別データが管理情報に登録されて管理情報が更新され、その後ステップＳ３８において、ＲＡＭ１０ｃの更新済の管理情報と抽出された複数の楽曲情報が接続装置１３に出力されることで、接続ケーブルＣを介して車載側再生装置２０に転送されて新たな楽曲情報がチェックアウトされ、ステップＳ３９に進む。
【００６１】
ステップＳ３９において、終了要求を受けたか否かが判定される。終了要求を受けていないと判定された場合は（Ｓ３９でＮ）、ステップＳ３１に戻り、一連の処理が繰り返される。一方、終了要求を受けたと判定された場合は（Ｓ３９でＹ）、処理が終了される。
【００６２】
以上の処理によって、車載側再生装置２０の第２楽曲情報データベースＤＢ２に対する楽曲情報の自動更新が終了することになる。この後は、利用者の再生要求に応じて車載側再生装置２０はそれらの楽曲情報を再生することになり、利用者は更新された新たな楽曲情報を聴くことができる。
【００６３】
このように、第２楽曲情報データベース（第２記憶手段）ＤＢ２に転送した楽曲情報とその第２楽曲情報データベースＤＢ２を管理する管理情報を記憶しておくとともに、その第２楽曲情報データベースＤＢ２が記憶している楽曲情報の中の再生が終了した楽曲情報を示す再生情報（コンテンツ再生情報）を取り込み、該再生情報と管理情報とに基づいて第２楽曲情報データベースＤＢ２に転送していない楽曲情報を第１楽曲情報データベース（第１記憶手段）ＤＢ１から抽出して、第２楽曲情報データベースＤＢ２に転送するようにしたことから、第２楽曲情報データベースＤＢ２に再生していない楽曲情報を転送することができるため、第２楽曲情報データベースＤＢ２が限られた容量であっても、記憶容量を有効活用して飽きのこない楽曲情報の再生を支援することができる。よって、再生していない楽曲情報に自動的に入れ替えられることにより、利用者は限られた記憶容量の第２楽曲情報データベースＤＢ２を用いても、手間をかけることなく常に新鮮な楽曲情報を楽しむことができる。
【００６４】
また、再生情報が示す楽曲情報のデータ量と第２楽曲情報データベースＤＢ２の記憶可能容量とに基づいて転送可能容量を検出し、該転送可能容量に適した第２楽曲情報データベースＤＢ２に転送していないコンテンツ情報を第１楽曲情報データベースＤＢ１から抽出するようにしたことから、第２楽曲情報データベースＤＢ２を有効利用して楽曲情報の入れ替えを的確に行うことができるため、利用者が楽曲情報を飽きてしまうことを防止することができる。
【００６５】
さらに、楽曲情報の抽出、取り込み等に応じて再生が終了した楽曲情報の削除を指示する削除指示情報を発生させるとともに、管理情報を更新するようにしたことから、この削除指示情報の発生に応じて楽曲情報を第２楽曲情報データベースＤＢ２から削除することで、楽曲情報の入れ替えを的確に把握して管理することが可能となり、楽曲情報の入れ替えを確実に行うことができるため、利用者が楽曲情報を飽きてしまうことを防止することができる。
【００６６】
次に、上述した車載側再生装置２０の制御部２７が実行する車載側処理の一例を説明する。図７は図４の制御部２７が実行する車載側処理の一例を示すフローチャートである。
【００６７】
制御部２７によって図７に示す車載側処理が実行されると、ステップＴ２１において、情報再生部２１の再生状態に基づいて、楽曲情報の再生中であるか否かが判定される。再生中ではないと判定された場合は（Ｔ２１でＮ）、ステップＴ２３に進む。一方、再生中であると判定された場合は（Ｔ２１でＹ）、ステップＴ２２に進む。
【００６８】
ステップＴ２２において、再生中の楽曲情報の再生終了等に応じて再生回数、日時等を示す再生情報（コンテンツ再生情報）がメモリ部２３に生成されて記憶されるとともに、操作・表示部２５を介して利用者によって削除拒否が設定された削除拒否情報がメモり部２３に取り込まれ、それらの情報が管理情報に関連付けられることで更新され、その後ステップＴ２３に進む。なお、再生情報及び削除拒否情報については、管理情報に関連付けるのではなく、管理情報に組み込むなど種々異なる形態とすることができる。また、再生情報として、第２楽曲情報データベースＤＢ２から削除した楽曲情報を転送する形態としても差し支えない。
【００６９】
ステップＴ２３において、接続部２６を介してコンテンツ情報管理装置１０に接続されたか否かが判定される。接続されていないと判定された場合は（ステップＴ２３でＮ）、ステップＴ２９に進む。一方、接続されていると判定された場合は（ステップＴ２３でＹ）、ステップＴ２４に進む。
【００７０】
ステップＴ２４（コンテンツ再生情報出力手段）において、管理情報と該管理情報に関連付けられた再生情報、削除拒否情報等が接続部２６に出力されることで、接続ケーブルＣを介してコンテンツ情報管理装置１０に転送され、その後、ステップＴ２５（削除指示情報取込手段）において、再生情報の出力に応じてコンテンツ情報管理装置１０で発生した削除指示情報が接続部２６を介して取り込まれてメモり部２３に記憶され、ステップＴ２６に進む。
【００７１】
ステップＴ２６（コンテンツ情報削除手段）において、メモリ部２３に取り込まれた削除指示情報が示す楽曲情報が第２楽曲情報データベースＤＢ２から削除されるとともに、該楽曲情報が接続部２６に出力されることで、接続ケーブルＣを介してコンテンツ情報管理装置１０に転送され、ステップＴ２７に進む。
【００７２】
ステップＴ２７において、削除した楽曲情報の転送に応じてコンテンツ情報管理装置１０から転送された新たな楽曲情報が接続部２６を介して取り込まれてメモり部２３に記憶され、その後、ステップＴ２８において、取り込まれた楽曲情報を第２楽曲情報データベースＤＢ２に追加記憶することで、第２楽曲情報データベースＤＢ２が更新され、その後ステップＴ２９に進む。
【００７３】
ステップＴ２９において、終了要求を受けたか否かが判定される。終了要求を受けていないと判定された場合は（Ｔ２９でＮ）、ステップＴ２１に戻り、一連の処理が繰り返される。一方、終了要求を受けたと判定された場合は（Ｔ２９でＹ）、処理が終了される。
【００７４】
以上説明した車載側再生措置２０によれば、楽曲情報の再生に応じて再生情報を生成して出力するとともに、該再生情報の出力に応じて発生した削除指示情報を取り込み、該削除指示情報が示す楽曲情報を第２楽曲情報データベースＤＢ２から削除するようにしたことから、第２楽曲情報データベースＤＢ２に新たな楽曲情報を記憶する領域を確保することができるため、第２楽曲情報データベースＤＢ２が限られた容量であっても、記憶容量を有効活用して飽きのこない楽曲情報の再生を支援することができる。よって、再生していない楽曲情報に自動的に入れ替えられることにより、利用者は限られた記憶容量の第２楽曲情報データベースＤＢ２を用いても、手間をかけることなく常に新鮮な楽曲情報を楽しむことができる。
【００７５】
また、楽曲情報に削除拒否情報を関連づけ、かつ、該削除拒否情報に基づいて削除が拒否されていない楽曲情報に対応した再生情報を生成するようにしたことから、利用者によって削除拒否を選択させることで、利用者のお気に入りの楽曲情報が消去されることを防止することができる。よって、利用者の好みを反映した上で、再生していない楽曲情報に自動的に入れ替えることができるため、手間をかけることなく楽曲（コンテンツ）情報を楽しむことができる。
【００７６】
次に、上述した楽曲情報再生システム１におけるコンテンツ情報管理装置１０と車載側再生装置２０との動作（作用）の一例を以下に説明する。
【００７７】
ドライブ、外出等から帰宅した利用者が、第２楽曲情報データベースＤＢ２に記憶している楽曲情報の一部の再生が終了した状態の車載側再生装置２０をコンテンツ情報管理装置１０と接続すると、コンテンツ情報管理装置１０は、車載側再生装置２０から管理情報、再生情報等を取り込み、再生済みの楽曲情報の削除を指示する削除指示情報を発生するとともに、第２楽曲情報データベースＤＢ２に対する楽曲情報の転送可能容量を検出し、それに対応した楽曲情報を第１楽曲情報データベースＤＢ１から抽出する。そして、更新した管理情報と新たな楽曲情報を車載側再生装置２０に転送する。一方、車載側再生装置２０は、取り込んだ削除指示情報が示す楽曲情報を第２楽曲情報データベースＤＢ２から削除するとともに、コンテンツ情報管理装置１０から転送された新たな楽曲情報を第２楽曲情報データベースＤＢ２に登録する。
【００７８】
以上説明した楽曲情報再生システム１によれば、楽曲情報の再生に応じて車載側再生装置２０が再生情報を生成して出力するとともに、コンテンツ情報管理装置１０によって該再生情報の出力に応じて発生した削除指示情報が示す楽曲情報を第２楽曲情報データベースＤＢ２から削除し、そこに新たな楽曲情報を記憶するようにしたことから、第２楽曲情報データベースＤＢ２に新たな楽曲情報を記憶する領域を確保することができるため、第２楽曲情報データベースＤＢ２が限られた容量であっても、記憶容量を有効活用して飽きのこない楽曲情報の再生を支援することができる。よって、再生していない楽曲情報に自動的に入れ替えられることにより、利用者は限られた記憶容量の第２楽曲情報データベースＤＢ２を用いても、手間をかけることなく常に新鮮な楽曲情報を楽しむことができる。
【００７９】
なお、上述した本実施例では、有線によってコンテンツ情報管理装置１０と車載側再生装置２０とを接続する場合について説明したが、無線通信で楽曲情報を再生が終了する毎に更新するなど種々異なる実施例とすることができる。
【００８０】
また、図８は楽曲情報再生システムの他のシステム構成の一例を示すシステム構成図である。図８に示す楽曲情報再生システムは、上述した図２に示すものと基本構成は同一であり、異なる部分は、図４の記憶部２４が、コンテンツ情報管理装置１０及び車載側再生装置２０に対して、例えばメモりカード、ハードディスクドライブ等の着脱自在の記憶ユニット３０に置き換わっていることである。
【００８１】
そして、該記憶ユニット３０に第２楽曲情報データベースＤＢ２を記憶しておき、第２楽曲情報データベースＤＢ２を更新する場合に、利用者によって車載側再生装置２０から取り外され、コンテンツ情報管理装置１０に装着される。コンテンツ情報管理装置１０は、上述したように記憶ユニット３０に対して削除指示情報に基づいた楽曲情報の削除を指示するとともに、新たな楽曲情報の書き込みを指示することで、第２楽曲情報データベースＤＢ２の更新を行う。そして、第２楽曲情報データベースＤＢ２の更新が終了すると、今度は記憶ユニット３０をコンテンツ情報管理装置１０から取り外して車載側再生装置２０に装着して、更新された楽曲情報の再生が行われる。
【００８２】
このような構成としても、上述したように再生していない楽曲情報に自動的に入れ替えられることにより、利用者は限られた記憶容量の第２楽曲情報データベースＤＢ２を用いても、手間をかけることなく常に新鮮な楽曲情報を楽しむことができる。
【００８３】
さらに、上述した本実施例では、第１楽曲情報データベースＤＢ１を自宅のパーソナル・コンピュータで実現する場合について説明したが、コンテンツ管理装置１０を楽曲情報の配信サーバとし、インターネット、通信網等を介して予め登録された会員等に定期的に楽曲情報を更新するようなシステムを構築することもできる。
【００８４】
また、上述した本実施例では、コンテンツ情報が楽曲情報である場合について説明したが、コンテンツ情報を画像情報、映像情報などとしても、上述したものと同様の作用効果を得ることができる。
【図面の簡単な説明】
【００８５】
【図１】本発明に係るコンテンツ情報転送装置、コンテンツ情報再生装置、及び、コンテンツ情報再生システムの基本構成の一例を示す構成図である。
【図２】楽曲情報再生システムのシステム構成の一例を示すシステム構成図である。
【図３】図２のコンテンツ情報管理装置の概略構成を示す構成図である。
【図４】図２の車載側再生装置の概略構成を示す構成図である。
【図５】図３のＣＰＵ１０ａが実行する初期登録処理の一例を示すフローチャートである。
【図６】図３のＣＰＵ１０ａが実行する楽曲情報更新処理の一例を示すフローチャートである。
【図７】図４の制御部２７が実行する車載側処理の一例を示すフローチャートである。
【図８】楽曲情報再生システムの他のシステム構成の一例を示すシステム構成図である。
【符号の説明】
【００８６】
１０    コンテンツ情報転送装置（コンテンツ情報管理装置）
１０ａ１    コンテンツ再生情報取込手段（ＣＰＵ）
１０ａ２    コンテンツ情報抽出手段（ＣＰＵ）
１０ａ３    コンテンツ情報転送手段（ＣＰＵ）
１０ａ４    転送可能容量検出手段（ＣＰＵ）
１０ａ５    削除指示情報発生手段（ＣＰＵ）
１０ａ６    管理情報更新手段（ＣＰＵ）
１０ｄ    管理情報記憶手段（ＣＰＵ）
２０    コンテンツ情報再生装置（車載側再生装置）
２７ａ    コンテンツ再生情報生成手段（制御部）
２７ｂ    コンテンツ再生情報出力手段（制御部）
２７ｃ    削除指示情報取込手段（制御部）
２７ｄ    コンテンツ情報削除手段（制御部）
ＤＢ１    第１記憶手段（第１楽曲情報データベース）
ＤＢ２    第２記憶手段（第２楽曲情報データベース）
【図１】
2008310369.tif 000003
【図２】
2008310369.tif 000004
【図３】
2008310369.tif 000005
【図４】
2008310369.tif 000006
【図５】
2008310369.tif 000007
【図６】
2008310369.tif 000008
【図７】
2008310369.tif 000009
【図８】
2008310369.tif 000010